(57)【要約】【課題】液晶表示素子と観察面保護板とを充分な強度で接着し、前記液晶表示素子を、補強した保護板一体型液晶表示パネルを提供する。【解決手段】観察側基板２に、ドライバ素子１６が搭載される張出部２ａが形成され、観察側偏光板１２が、観察側基板２よりも小さい形状に形成され、この観察側偏光板１２が、その周縁を観察側基板２の周縁よりも内側に位置させて観察側基板２の外面に貼付けられた液晶表示素子１の観察側に、前記観察側基板２の全体を張出部２ａを含んで覆う形状に形成された観察面保護板１８を配置し、前記液晶表示素子１と観察面保護板１８との間に、観察側偏光板１２よりも大きい面積の領域に対応させて樹脂層１９を設け、観察面保護板１８を、前記樹脂層１９により、液晶表示素子１の観察側偏光板１２の外面及び観察側基板２の観察側偏光板１２の周囲に露出した部分の外面に接着した。【選択図】図２
2010060815.tif 000002
【特許請求の範囲】
【請求項１】
予め定めた間隙を設けて対向配置された観察側とその反対側の一対の基板と、これらの基板間の間隙に封入された液晶層と、前記一対の基板の互いに向き合う内面のうちの少なくとも観察側基板の内面に設けられ、電圧の印加により前記液晶層の液晶分子の配向状態を変化させて光の透過を制御する複数の画素を形成するための第１と第２の電極と、前記一対の基板の外面にそれぞれ配置された観察側及びその反対側の一対の偏光板とからなり、前記観察側基板に、反対側基板の外方に張出す張出部が形成され、前記張出部に、前記複数の画素の電極間に電圧を印加するためのドライバ素子が搭載され、且つ、前記観察側の偏光板は、前記観察側基板よりも小さい形状に形成され、この観察側偏光板が、その周縁を前記観察側基板の周縁よりも内側に位置させて前記観察側基板の外面に貼付けられてなる液晶表示素子と、
前記液晶表示素子の観察側基板の全体を前記張出部を含んで覆う形状に形成され、前記液晶表示素子の観察側に配置された観察面保護板と、
前記液晶表示素子と前記観察面保護板との間に、前記観察側偏光板よりも大きい面積の領域に対応させて設けられた樹脂層と、
を備え、
前記観察面保護板が、前記樹脂層により、前記液晶表示素子の観察側偏光板の外面及び前記観察側基板の前記観察側偏光板の周囲に露出した部分の外面に接着されていることを特徴とする保護板一体型液晶表示パネル。
【請求項２】
液晶表示素子の観察側偏光板は、観察側基板の張出部を除く領域の外面に貼付けられ、樹脂層は、前記観察側偏光板よりも大きく、且つ前記張出部の全域を含む面積の領域に対応させて設けられていることを特徴とする請求項１に記載の保護板一体型液晶表示パネル。
【発明の詳細な説明】
【技術分野】
【０００１】
この発明は、保護板一体型液晶表示パネルに関する。
【背景技術】
【０００２】
液晶表示パネルとして、液晶表示素子と、前記液晶表示素子の観察側の面を保護するための観察面保護板とを樹脂層により接着して一体化させた保護板一体型液晶表示パネルがある。
【０００３】
この保護板一体型液晶表示パネルを構成する液晶表示素子としては、液晶層を挟んで対向する一対の基板のうちの観察側基板に、反対側基板の外方に張出す張出部が形成され、この張出部に前記ドライバ素子が搭載されたものが知られている。
【０００４】
そして、観察側基板にドライバ搭載用の張出部が形成された液晶表示素子を備えた保護板一体型液晶表示パネルは、従来、前記液晶表示素子の観察側の偏光板を、観察側基板と同じ外形に形成してこの偏光板を前記観察側基板の外面全体に貼付け、前記液晶表示素子の観察側に、前記観察側基板の全体を前記張出部を含んで覆う形状に形成された観察面保護板を配置し、前記液晶表示素子の観察側偏光板と前記観察面保護板とを、これらの間の間隙にその全域にわたって設けられた樹脂層により接着して構成されている（特許文献１参照）。
【特許文献１】特開２００７−１１４７３７号公報
【発明の開示】
【発明が解決しようとする課題】
【０００５】
しかし、液晶表示素子の観察側偏光板を観察側基板の外面全体に貼付け、この観察側偏光板と観察面保護板とを樹脂層により接着した従来の保護板一体型液晶表示パネルは、前記液晶表示素子と観察面保護板との接着強度が充分でない。
【０００６】
そして、前記観察面保護板は、液晶表示素子の観察面の保護の他に、前記液晶表示素子の補強板としても機能するが、上記従来の保護板一体型液晶表示パネルは、前記液晶表示素子と観察面保護板との接着強度が充分でないため、液晶表示素子の補強効果、特に、前記液晶表示素子の観察側基板に形成された張出部の補強効果を充分に発揮することができない。
【０００７】
この発明は、液晶表示素子と観察面保護板とを充分な強度で接着し、前記液晶表示素子を効果的に補強した保護板一体型液晶表示パネルを提供することを目的としたものである。
【課題を解決するための手段】
【０００８】
この発明の請求項１に記載の保護板一体型液晶表示パネルは、
予め定めた間隙を設けて対向配置された観察側とその反対側の一対の基板と、これらの基板間の間隙に封入された液晶層と、前記一対の基板の互いに向き合う内面のうちの少なくとも観察側基板の内面に設けられ、電圧の印加により前記液晶層の液晶分子の配向状態を変化させて光の透過を制御する複数の画素を形成するための第１と第２の電極と、前記一対の基板の外面にそれぞれ配置された観察側及びその反対側の一対の偏光板とからなり、前記観察側基板に、反対側基板の外方に張出す張出部が形成され、前記張出部に、前記複数の画素の電極間に電圧を印加するためのドライバ素子が搭載され、且つ、前記観察側の偏光板は、前記観察側基板よりも小さい形状に形成され、この観察側偏光板が、その周縁を前記観察側基板の周縁よりも内側に位置させて前記観察側基板の外面に貼付けられてなる液晶表示素子と、
前記液晶表示素子の観察側基板の全体を前記張出部を含んで覆う形状に形成され、前記液晶表示素子の観察側に配置された観察面保護板と、
前記液晶表示素子と前記観察面保護板との間に、前記観察側偏光板よりも大きい面積の領域に対応させて設けられた樹脂層と、
を備え、
前記観察面保護板が、前記樹脂層により、前記液晶表示素子の観察側偏光板の外面及び前記観察側基板の前記観察側偏光板の周囲に露出した部分の外面に接着されていることを特徴とする。
【０００９】
請求項２に記載の発明は、前記請求項１に記載の保護板一体型液晶表示パネルにおいて、前記液晶表示素子の観察側偏光板は、前記観察側基板の前記張出部を除く領域の外面に貼付けられ、前記液晶表示素子と前記観察面保護板とを接着するための前記樹脂層は、前記観察側偏光板よりも大きく、且つ前記張出部の全域を含む面積の領域に対応させて設けられていることを特徴とする。
【発明の効果】
【００１０】
この発明の保護板一体型液晶表示パネルによれば、液晶表示素子と観察面保護板とを充分な強度で接着し、前記液晶表示素子を効果的に補強することができる。
【発明を実施するための最良の形態】
【００１１】
（第１の実施形態）
図１〜図５はこの発明の第１の実施例を示しており、図１は保護板一体型液晶表示パネルの分解斜視図、図２は前記保護板一体型液晶表示パネルの断面図である。
【００１２】
この保護板一体型液晶表示パネルは、図１及び図２のように、画像を表示する液晶表示素子１と、前記液晶表示素子１の観察側に配置された観察面保護板１８と、前記液晶表示素子１と前記観察面保護板１８との間に設けられ、前記液晶表示素子１と前記観察面保護板１８とを接着する透明な樹脂層１９とを備えている。
【００１３】
図３は前記液晶表示素子１の観察側とは反対側から見た平面図、図４は前記液晶表示素子１の一部分の拡大断面図であり、この液晶表示素子１は、予め定めた間隙を設けて対向配置された観察側とその反対側の一対のガラスからなる透明基板２，３と、これらの基板２，３間の間隙に封入された液晶層４と、前記一対の基板２，３の互いに向き合う内面のうちの少なくとも観察側基板２の内面に設けられ、電圧の印加により前記液晶層４の液晶分子の配向状態を変化させて光の透過を制御する複数の画素を形成するための第１と第２の透明電極５，７と、前記一対の基板２，３の外面にそれぞれ配置された観察側及びその反対側の一対の偏光板１２，１３とからなっている。
【００１４】
この実施例において、前記液晶表示素子１は、複数の画素を形成するための第１と第２の電極５，７を、観察側基板２と反対側基板３の内面それぞれに設けたものであり、観察側基板２の内面に、行及び列方向にマトリックス状に配列させて形成された複数の画素電極（第１の電極）５が設けられ、反対側基板３の内面に、前記複数の画素電極５の配列領域全体に対向させて形成された対向電極（第２の電極）７が設けられている。
【００１５】
また、この液晶表示素子１は、ＴＦＴ（薄膜トランジスタ）をアクティブ素子としたアクティブマトリックス液晶表示素子であり、前記観察側基板２の内面に、前記複数の画素電極５にそれぞれ対応させて配置され、対応する画素電極５に接続された複数のＴＦＴ６と、各行の複数のＴＦＴ６にそれぞれゲート信号を供給する複数の走査線（図示せず）と、各列の複数のＴＦＴ６にそれぞれデータ信号を供給する複数の信号線（図示せず）とが設けられている。
【００１６】
なお、図４では前記複数のＴＦＴ６を簡略化しているが、これらのＴＦＴ６はそれぞれ、観察側基板２の内面上に形成されたゲート電極と、前記ゲート電極を覆って前記観察側基板２の内面の略全体に形成された透明なゲート絶縁膜と、前記ゲート絶縁膜の上に前記ゲート電極と対向させて形成されたｉ型半導体膜と、前記ｉ型半導体膜の一側部と他側部の上にそれぞれｎ型半導体膜を介して形成されたドレイン電極及びソース電極とからなっている。
【００１７】
また、前記複数の走査線は、前記観察側基板２の内面上に、各行の複数のＴＦＴ６のゲート電極にそれぞれ接続して形成され、前記複数の信号線は、前記ゲート絶縁膜の上に、各列の複数のＴＦＴ６のドレイン電極にそれぞれ接続して形成されており、前記複数の画素電極５は、前記ゲート絶縁膜の上に形成され、対応するＴＦＴ６のソース電極と接続されている。
【００１８】
一方、前記反対側基板３の内面には、前記複数の画素電極５と前記対向電極７とが互いに対向する領域からなる複数の画素にそれぞれ対応させて、赤、緑、青の３色のカラーフィルタ８Ｒ，８Ｇ，８Ｂが設けられており、これらのカラーフィルタ８Ｒ，８Ｇ，８Ｂの上に前記対向電極７が形成されている。
【００１９】
そして、前記一対の基板２，３は、前記複数の画素がマトリックス状に配列した画面エリアを囲む枠状のシール材１１を介して接合されており、これらの基板２，３間の間隙の前記シール材１１で囲まれた領域に液晶層４が封入されている。
【００２０】
さらに、前記一対の基板２，３の内面にはそれぞれ、前記電極５，７を覆って配向膜９，１０が形成されており、前記液晶層４の液晶分子は、前記配向膜９，１０により規定される初期配向状態に配向している。
【００２１】
なお、この液晶表示素子１は、液晶分子を一対の基板２，３間においてツイスト配向させたＴＮ型またはＳＴＮ型液晶表示素子、液晶分子を基板２，３面に対して実質的に垂直に配向させた垂直配向型液晶表示素子、液晶分子を分子長軸を一方向に揃えて基板２，３面と実質的に平行に配向させた非ツイストの水平配向型液晶表示素子、液晶分子をベンド配向させるベンド配向型液晶表示素子等のいずれでもよく、また、強誘電性または反強誘電性液晶表示素子でもよい。
【００２２】
さらに、この実施例の液晶表示素子１は、観察側基板２の内面に複数の画素電極５を設け、反対側基板３の内面に対向電極７を設けたものであるが、前記液晶表示素子１は、前記一対の基板２，３のうちの観察側基板２の内面に、複数の画素をマトリックス状に配列させて形成するための複数の第１の電極と、それよりも液晶層４側に前記第１の電極と絶縁して形成された複数の細長電極部を有する第２の電極と、前記複数の第１の電極にそれぞれ対応させて配置され、対応する前記第１の電極に接続された複数のＴＦＴと、各行の複数のＴＦＴにそれぞれゲート信号を供給する複数の走査線と、各列の複数のＴＦＴにそれぞれデータ信号を供給する複数の信号線とを設け、前記複数の第１の電極と前記第２の電極との間に横電界（基板面に沿う方向の電界）を生じさせて液晶分子の配向状態を変化させる横電界制御型のものでもよい。
【００２３】
また、前記液晶表示素子１の観察側基板２には、前記反対側基板３の外方に張出す張出部２ａが形成されており、前記張出部２ａに、前記複数の画素の電極５，７間に電圧を印加するためのＬＳＩからなるドライバ素子１６が搭載されている。
【００２４】
この実施例の液晶表示素子１は、前記観察側基板２の一側に前記張出部２ａを形成し、この張出部２ａに、走査駆動とデータ信号の書込み駆動とを行う１つのドライバ素子１６を搭載したものであり、前記観察側基板２の内面に、前記ドライバ素子１６の複数の出力端子（図示せず）を前記複数の走査線及び複数の信号線と前記対向電極７にそれぞれ接続するための複数の出力側配線１４と、前記ドライバ素子１６の複数の入力端子（図示せず）を図示しない外部回路に接続するための複数の入力側配線１５とが設けられている。
【００２５】
なお、前記複数の出力側配線１４のうちの対向電極７の接続用配線は、前記枠状のシール材１１による基板接合部において、図示しない導電体を介して前記対向電極７に接続されている。
【００２６】
また、前記複数の入力側配線１５は、前記張出部２ａの端縁に導出され、前記張出部２ａの端部に異方導電性接着剤により接着して接続された配線フィルム１７を介して図示しない外部回路に接続されている。
【００２７】
さらに、前記液晶表示素子１の観察側偏光板１２は、前記画面エリアより大きく、且つ前記観察側基板２よりも小さい形状に形成されており、この観察側偏光板１２の周縁を前記観察側基板２の周縁よりも内側に位置させて、前記観察側基板２の外面に貼付けられている。
【００２８】
この実施例において、前記観察側偏光板１２は、前記観察側基板２の張出部２ａを除いた前記反対側基板３と対向する領域よりも小さく、且つ前記液晶表示素子１の画面エリア（枠状のシール材１１の内側で囲まれた領域）よりも大きい矩形板状に形成されており、前記観察側基板２の張出部２ａを除く領域の外面に、前記観察側基板２の張出部２ａと前記観察側基板２の前記張出部２ａに対応する辺以外の辺の周縁部を前記観察側偏光板１２の周囲に露出させて貼付けられている。
【００２９】
また、前記液晶表示素子１の反対側の偏光板１３は、前記反対側基板３と同じ大きさか、或いは、前記反対側基板３よりも小さく、前記画面エリアよりも大きい矩形板状に形成されており、前記反対側基板３の外面に貼付けられている。
【００３０】
前記観察面保護板１８は、強化ガラスからなっており、前記液晶表示素子１の観察側基板２の全体を前記張出部２ａを含んで覆う形状、例えば前記観察側基板２の張出部２ａを含む外形よりもある程度大きい矩形形状に形成され、前記液晶表示素子１の観察側に、前記観察側偏光板１２の外面及び前記観察側基板２の観察側偏光板１２の周囲に露出した部分の外面に対向させて配置されている。
【００３１】
また、前記樹脂層１９は、ガラスに対する接着力が強い樹脂、例えば、エポキシ系樹脂、アクリル系樹脂、または、エポキシ系の少なくとも一種とアクリル系の少なくともの一種の混合樹脂等からなっており、前記液晶表示素子１と前記観察面保護板１８との間に、前記液晶表示素子１の観察側偏光板１２よりも大きい面積の領域に対応させて設けられている。
【００３２】
この実施例において、前記樹脂層１９は、前記観察側偏光板１２よりも大きく、且つ前記観察側偏光板１２に形成された前記張出部２ａの全域を含む面積の領域に対応させて設けられている。
【００３３】
そして、前記観察面保護板１８は、前記樹脂層１９により、前記液晶表示素子１の観察側偏光板１２の外面及び前記観察側基板２の観察側偏光板１２の周囲に露出した部分の外面に接着されている。
【００３４】
なお、前記樹脂層１９は、前記液晶表示素子１と前記観察面保護板１８の対向面のいずれか一方、例えば前記液晶表示素子１の観察側の面上に、前記樹脂を、ディスペンサによる滴下または転写等の手段により供給し、その上に前記観察面保護板１８を重ねて加圧することにより、前記樹脂を、前記液晶表示素子１と前記観察面保護板１８の対向面間の全域に押し広げて形成される。
【００３５】
図５は前記液晶表示素子１上への前記樹脂の供給例を示しており、この例では、前記液晶表示素子１と前記観察面保護板１８の対向面間の全域に押し広げられる量の樹脂１９ａを、前記液晶表示素子１の観察側偏光板１２の中央部の上と、観察側基板２の張出部２ａの中央部の上とに分けて供給している。
【００３６】
なお、前記樹脂１９ａは、前記観察側偏光板１２上の複数の位置と、前記観察側基板２の張出部２ａの中央部の上とに分散させて供給しても、或いは、前記観察側偏光板１２上の中央部よりも前記張出部２ａ側に偏った位置に一括して供給してもよい。
【００３７】
そして、前記観察面保護板１８は、前記加圧状態を保った状態で前記樹脂層１９を硬化させることにより、前記液晶表示素子１の観察側偏光板１２の外面及び前記観察側基板２の観察側偏光板１２の周囲に露出した部分の外面に接着されている。
【００３８】
この保護板一体型液晶表示パネルは、観察側基板２にドライバ素子１６を搭載するための張出部２ａが形成され、且つ、観察側偏光板１２が、前記観察側基板２よりも小さい形状に形成され、この観察側偏光板１２が、その周縁を前記観察側基板２の周縁よりも内側に位置させて前記観察側基板２の外面に貼付けられた液晶表示素子１の観察側に、前記液晶表示素子１の観察側基板２の全体を前記張出部２ａを含んで覆う形状に形成された観察面保護板１８を配置し、この観察面保護板１８を、前記液晶表示素子１と前記観察面保護板１８との間に前記観察側偏光板１２よりも大きい面積の領域に対応させて設けられた樹脂層１９により、前記液晶表示素子１の観察側偏光板１２の外面及び前記観察側基板２の観察側偏光板１２の周囲に露出した部分の外面に接着しているため、前記液晶表示素子１と前記観察面保護板１８とを充分な強度で接着し、前記液晶表示素子１を、その観察側基板２に形成された張出部２ａを含めて効果的に補強することができる。
【００３９】
すなわち、この保護板一体型液晶表示パネルにおいては、前記液晶表示素子１の観察側基板２と前記観察面保護板１８がそれぞれガラスからなっており、前記液晶表示素子１と前記観察面保護板１８とを接着するための前記樹脂層１９がガラスに対する接着力が強い樹脂１９ａからなっているため、前記観察面保護板１８が、前記液晶表示素子１の観察側の面のうちの観察側基板２が露出している部分に対して、前記観察側偏光板１２が貼付けられた領域に対する接着力よりも強い接着力で接着される。
【００４０】
そして、前記液晶表示素子１の観察側偏光板１２は、その周縁を前記観察側基板２の周縁よりも内側に位置させて前記観察側基板２の外面に貼付けられており、前記観察面保護板１８は、前記観察側基板２の観察側偏光板１２の周囲に露出した部分に対して強い接着力で接着されるため、前記液晶表示素子１と前記観察面保護板１８とを、前記観察側基板２の張出部２ａを含む周縁部の全域において充分な強度で接着し、前記液晶表示素子１を、前記観察側基板２の張出部２ａを含めて効果的に補強することができる。
【００４１】
しかも、この実施例の保護板一体型液晶表示パネルは、前記液晶表示素子１の観察側偏光板１２が、前記観察側基板２の張出部２ａを除く領域の外面に貼付けられ、前記樹脂層１９が、前記観察側偏光板１２よりも大きく、且つ前記張出部２ａの全域を含む面積の領域に対応させて設けられているため、前記張出部２ａの全体を、前記観察面保護板１８によって補強することができる。
【００４２】
（第２の実施形態）
図６〜図８はこの発明の第２の実施例を示しており、図６は保護板一体型液晶表示パネルの分解斜視図、図７は前記保護板一体型液晶表示パネルの平面図、図８は前記保護板一体型液晶表示パネルの断面図である。なお、この実施例において、前記第１の実施例に対応するものには同符号を付し、同一のものについてはその説明を省略する。
【００４３】
この実施例の保護板一体型液晶表示パネルは、液晶表示素子１と観察面保護板１８との間に、前記液晶表示素子１の観察側基板２の張出部２ａを含む周縁部の略全周に対応させて、前記液晶表示素子１と観察面保護板１８とを接着する樹脂層１９の層厚と外形を規定するためのスペーサ２０を配置したものである。
【００４４】
前記スペーサ２０は、前記液晶表示素子１の画面エリアの周囲の枠状部の幅（枠状のシール材１１による基板接合部の幅）よりも小さい幅に形成された樹脂テープからなっており、前記液晶表示素子１の４つの縁部にそれぞれ対応させて配置され、前記液晶表示素子１と前記観察面保護板１８の対向面のいずれか一方、例えば前記液晶表示素子１の観察側基板２の外面に、前記樹脂テープと同じ幅に形成された両面粘着テープ（図示せず）によって貼付けられている。
【００４５】
さらに、前記液晶表示素子１の４つの縁部にそれぞれ対応する各スペーサ２０は、前記観察側基板２の４つの角部においてそれぞれ隣り合う２つのスペーサ２０，２０同士の端部間に隙間を設けて前記観察側基板２の外面に貼付けられている。
【００４６】
また、この実施例において、前記液晶表示素子１の観察側偏光板１２は、前記観察側基板２の張出部２ａを除く領域のうちの前記各スペーサ２０により囲まれた領域よりも小さく、且つ前記液晶表示素子１の画面エリアよりも大きい矩形板状に形成されており、前記観察側基板２の張出部２ａを除く領域の外面に、前記観察側基板２の張出部２ａと前記観察側基板２の前記張出部２ａ以外の周縁部の前記各スペーサ２０よりも内側の部分を前記観察側偏光板１２の周囲に露出させて貼付けられている。
【００４７】
そして、前記樹脂層１９は、前記液晶表示素子１と前記観察面保護板１８の対向面のいずれか一方、例えば前記液晶表示素子１の観察側の面上に、ガラスに対する接着力が強い樹脂を供給し、その上に前記観察面保護板１８を重ねて加圧することにより、前記樹脂を、前記液晶表示素子１と前記観察面保護板１８の対向面間の前記各スペーサ２０により囲まれた領域の全域に押し広げることにより形成されており、前記観察面保護板１８は、前記加圧状態を保った状態で前記樹脂層１９を硬化させることにより、前記液晶表示素子１の観察側偏光板１２の外面及び前記観察側基板２の観察側偏光板１２の周囲に露出した部分の外面に接着されている。
【００４８】
この実施例の保護板一体型液晶表示パネルは、液晶表示素子１と観察面保護板１８との間に、前記液晶表示素子１の観察側基板２の張出部２ａを含む周縁部の略全周に対応させて、前記樹脂層１９の層厚と外形を規定するためのスペーサ２０を配置しているため、前記樹脂層１９を、前記スペーサ２０により囲まれた領域の全域にわたって形成し、前記液晶表示素子１と前記観察面保護板１８とをさらに充分な強度で接着し、前記液晶表示素子１を、その観察側基板２に形成された張出部２ａを含めてより効果的に補強することができる。
【００４９】
また、この実施例では、前記液晶表示素子１の４つの縁部にそれぞれ対応する各スペーサ２０を、前記観察側基板２の４つの角部においてそれぞれ隣り合う２つのスペーサ２０，２０同士の端部間に隙間を設けて配置しているため、前記液晶表示素子１と前記観察面保護板１８の対向面のいずれか一方の面上に供給された樹脂を加圧によって前記スペーサ２０により囲まれた領域の全域に押し広げる際に、前記隣り合う２つのスペーサ２０，２０同士の端部間の隙間から余剰樹脂を外部に排出することができ、したがって、前記樹脂の供給量を厳密に制御する必要がないから、前記保護板一体型液晶表示パネルの製造を容易にすることができる。
【００５０】
（他の実施形態）
なお、上記第１及び第２の実施例では、液晶表示素子１と観察面保護板１８とを接着する樹脂層１９を、前記液晶表示素子１と観察面保護板１８の対向面のいずれか一方の上に樹脂を供給し、その樹脂を加圧により押し広げて形成しているが、前記樹脂層１９は、前記液晶表示素子１と観察面保護板１８の対向面のいずれか一方の上に、スクリーン印刷によって、前記液晶表示素子１の観察側偏光板よりも大きい面積の領域に対応する形状に印刷してもよく、このようにすることにより、前記樹脂層１９をさらに容易に形成することができる。
【図面の簡単な説明】
【００５１】
【図１】この発明の第１の実施例を示す保護板一体型液晶表示パネルの分解斜視図。
【図２】第１の実施例の保護板一体型液晶表示パネルの断面図。
【図３】前記保護板一体型液晶表示パネルにおける液晶表示素子の観察側とは反対側から見た平面図。
【図４】前記液晶表示素子１の一部分の拡大断面図。
【図５】第１の実施例における液晶表示素子上への樹脂の供給例を示す図。
【図６】この発明の第２の実施例を示す保護板一体型液晶表示パネルの分解斜視図。
【図７】第２の実施例の保護板一体型液晶表示パネルの平面図。
【図８】第２の実施例の保護板一体型液晶表示パネルの断面図。
【符号の説明】
【００５２】
１…液晶表示素子、２…観察側基板、２ａ…張出部、３…反対側基板、４…液晶層、５…画素電極、６…ＴＦＴ、７…対向電極、８Ｒ，８Ｇ，８Ｂ…カラーフィルタ、１１…シール材、１２…観察側偏光板、１３…反対側偏光板、１６…ドライバ素子、１８…観察面保護板、１９…樹脂層、２０…スペーサ。
【図１】
2010060815.tif 000003
【図２】
2010060815.tif 000004
【図３】
2010060815.tif 000005
【図４】
2010060815.tif 000006
【図５】
2010060815.tif 000007
【図６】
2010060815.tif 000008
【図７】
2010060815.tif 000009
【図８】
2010060815.tif 000010